Podtech/llm-jp-corpus-v4-ja_patent huggingface dataset:
【手続補正書】
【提出日】平成30年2月1日(2018.2.1)
【手続補正１】
【補正対象書類名】明細書
【補正対象項目名】０１３７
【補正方法】変更
【補正の内容】
【０１３７】
システム８１０は、更に、同軸ケーブル４１６Ａの端８１４Ａに結合されたパラメータプローブＰａを含み、端８１４Ａは、ＯＵＴ＃１に結合される。端８１４Ａは、ステーション１の入力に位置付けられる。更に、システム８１０は、同軸ケーブル８１４Ｂの端８１４Ｂに結合されたパラメータプローブＰｂを含み、端８１４Ｂは、ＯＵＴ＃２に結合される。端８１４Ｂは、ステーション２の入力に位置付けられる。また、システム８１０は、更に、同軸ケーブル４１６Ｃの端８１４Ｃに結合されたパラメータプローブＰｃを含み、端８１４Ｃは、ＯＵＴ＃３に結合される。端８１４Ｃは、ステーション３の入力に位置付けられる。システム８１０は、更に、同軸ケーブル４１６Ｄの端８１４Ｄに結合されたパラメータプローブＰｄを含み、端８１４Ｄは、ＯＵＴ＃４に結合される。端８１４Ｄは、ステーション４の入力に位置付けられる。
【手続補正２】
【補正対象書類名】明細書
【補正対象項目名】０１４４
【補正方法】変更
【補正の内容】
【０１４４】
同様に、所定の期間にわたってパラメータプローブＰｂによって測定される配送電力に基づいて、プローブ制御・システム制御部１１０は、端８１４Ｂにおいてステーション２に配送される電力の変化が実質的に無視できるように、分流インダクタＬ４２１を制御する。更に、所定の期間にわたってパラメータプローブＰｃによって測定される配送電力に基づいて、プローブ制御・システム制御部１１０は、端８１４Ｃにおいてステーション３に配送される電力の変化が実質的に無視できるように、分流インダクタＬ４４１を制御する。また、所定の期間にわたってパラメータプローブＰｄによって測定される配送電力に基づいて、プローブ制御・システム制御部１１０は、端８１４Ｄにおいてステーション４に配送される電力の変化が実質的に無視できるように、分流インダクタＬ４６１を制御する。
【手続補正３】
【補正対象書類名】明細書
【補正対象項目名】０１４６
【補正方法】変更
【補正の内容】
【０１４６】
一実施形態では、端８１４Ａ〜８１４Ｄにおいて配送電力を測定する代わりに、出力ＯＵＴ＃１〜ＯＵＴ＃４において配送電力が測定される。
【手続補正４】
【補正対象書類名】明細書
【補正対象項目名】０１４７
【補正方法】変更
【補正の内容】
【０１４７】
一実施形態では、出力ＯＵＴ＃１〜ＯＵＴ＃４において又は端８１４Ａ〜８１４Ｄをおいて配送電力を測定する代わりに、同軸ケーブル４１６Ａ〜４１６Ｄ上の任意の地点において配送電力が測定される。
【手続補正書】
【提出日】平成30年2月26日(2018.2.26)
【手続補正１】
【補正対象書類名】特許請求の範囲
【補正対象項目名】全文
【補正方法】変更
【補正の内容】
【特許請求の範囲】
【請求項１】
プロジェクタと、該プロジェクタにより投影された表示面に描画を行う描画装置とを備えるシステムであって、
前記表示面に対する前記描画装置の接触位置を受信する受信手段と、
情報処理装置から送信される映像信号を受信する第１のインタフェースと、
前記情報処理装置と接続する第２のインタフェースと、
前記第１のインタフェースを介して受信した前記映像信号に基づく画像を前記表示面に表示する表示手段と、
前記受信手段により受信した前記接触位置が前記表示面上の前記映像信号に基づく画像が表示された領域内である場合に、前記描画装置の接触位置に基づく信号を生成し、生成した該信号を前記第２のインタフェースを介して前記情報処理装置に送信する送信手段と
を備えるシステム。
【請求項２】
前記第１のインタフェースは、ＶＧＡ又はＨＤＭＩ（登録商標）であること
を特徴とする請求項１に記載のシステム。
【請求項３】
前記第２のインタフェースは、ＵＳＢであること
を特徴とする請求項１または２に記載のシステム。
【請求項４】
前記描画装置は、描画された描画画像を削除する操作を行う、ユーザが押下可能なボタンを備え、
前記ボタンが押下された場合に、前記描画装置を用いて描画画像を削除する削除処理の実行を制御する、
請求項１乃至３のいずれか１項に記載のシステム。
【請求項５】
前記受信手段により受信した接触位置が前記表示面上の前記映像信号に基づく画像が表示された領域内である場合に、前記情報処理装置の画面の解像度に応じて前記描画装置の接触位置に基づく信号を生成し、生成した該信号を前記第２のインタフェースを介して前記情報処理装置に送信することで、前記プロジェクタから前記情報処理装置の操作処理を行うよう制御する、
請求項１乃至４のいずれか１項に記載のシステム。
【請求項６】
情報処理装置から送信される映像信号を受信する第１のインタフェースと、前記情報処理装置と接続する第２のインタフェースとを備えるプロジェクタと、前記プロジェクタにより投影された表示面に描画を行う描画装置とを備えるシステムが実行する方法であって、
前記表示面に対する前記描画装置の接触位置を受信するステップと、
前記第１のインタフェースを介して受信した前記映像信号に基づく画像を前記表示面に表示するステップと、
前記受信するステップにおいて受信した前記接触位置が前記表示面上の前記映像信号に基づく画像が表示された領域内である場合に、前記描画装置の接触位置に基づく信号を生成し、生成した該信号を前記第２のインタフェースを介して前記情報処理装置に送信するステップと
を実行する方法。
【請求項７】
情報処理装置から送信される映像信号を受信する第１のインタフェースと、前記情報処理装置と接続する第２のインタフェースとを備えるプロジェクタと、前記プロジェクタにより投影された表示面に描画を行う描画装置とを備えるシステムに実行させるプログラムであって、
前記表示面に対する前記の描画装置の接触位置を受信するステップと、
前記第１のインタフェースを介して受信した前記映像信号に基づく画像を前記表示面に表示するステップと、
前記受信した接触位置が前記表示面上の前記映像信号に基づく画像が表示された領域内である場合、前記描画装置の接触位置に基づく信号を生成し、生成した該信号を前記第２のインタフェースを介して前記情報処理装置に送信するステップと
を実行させるプログラム。
【手続補正２】
【補正対象書類名】明細書
【補正対象項目名】発明の名称
【補正方法】変更
【補正の内容】
【発明の名称】システム、方法およびプログラム
【手続補正３】
【補正対象書類名】明細書
【補正対象項目名】０００１
【補正方法】変更
【補正の内容】
【０００１】
本発明は、任意の画像を表示するシステムに関し、より詳細には、情報処理装置の表示画像を表示して当該情報処理装置の操作が可能であると共に、任意の描画画像を表示するシステム、方法およびプログラムに関する。
【手続補正４】
【補正対象書類名】明細書
【補正対象項目名】０００５
【補正方法】変更
【補正の内容】
【０００５】
本発明は上述した課題を解決するものであり、プロジェクタと接続される情報処理装置を操作する際の操作性を向上させるシステム、方法およびプログラムを提供することを目的とする。
【手続補正５】
【補正対象書類名】明細書
【補正対象項目名】０００６
【補正方法】変更
【補正の内容】
【０００６】
本発明によれば、プロジェクタと、該プロジェクタにより投影された表示面に描画を行う描画装置とを備えるシステムであって、前記表示面に対する前記描画装置の接触位置を受信する受信手段と、情報処理装置から送信される映像信号を受信する第１のインタフェースと、前記情報処理装置と接続する第２のインタフェースと、前記第１のインタフェースを介して受信した前記映像信号に基づく画像を前記表示面に表示する表示手段と、前記受信手段により受信した前記接触位置が前記表示面上の前記映像信号に基づく画像が表示された領域内である場合に、前記描画装置の接触位置に基づく信号を生成し、生成した該信号を前記第２のインタフェースを介して前記情報処理装置に送信する送信手段とを備えるシステムが提供される。
【手続補正６】
【補正対象書類名】明細書
【補正対象項目名】０００７
【補正方法】変更
【補正の内容】
【０００７】
本発明のシステムは、上記構成を採用することにより、プロジェクタと接続される情報処理装置を操作する際の操作性を向上させることができる。
【手続補正書】
【提出日】平成30年3月13日(2018.3.13)
【手続補正１】
【補正対象書類名】明細書
【補正対象項目名】０１１２
【補正方法】変更
【補正の内容】
【０１１２】
また領域１２６に形成された凹部１２８を形成する輪郭が、自由曲線からなり、キャリア１０４のギア部１１５に接触しないように形成されていることが好ましい。よって、ガラス基板１０２表面を研磨する際、凹部１２８に研磨液を確実に溜めることができるため、張り付きを防止する効果が高い。
【手続補正２】
【補正対象書類名】明細書
【補正対象項目名】０１２１
【補正方法】変更
【補正の内容】
【０１２１】
表５では、キャリアの表面に凹部が存在しないものを比較例２とし、凹部が存在していて凹部の深さの異なるものを各実施例１５〜２１とした。なお表５での、張り付き発生回数の比とは、比較例２を「１．０」としたときの相対値である。また各実施例の凹部は、キャリアのギア部に接触しないように形成されている。さらに各実施形態の凹部は、キャリアの一方の表面の保持孔を除いた全表面に占める面積の割合を３０％とし、全ての凹部の面積は１ｃｍ２以上とした。
【手続補正３】
【補正対象書類名】明細書
【補正対象項目名】０１２２
【補正方法】変更
【補正の内容】
【０１２２】
さらに、表５でのキャリアの変形等とは、１００バッチ終了後、両面研磨装置からキャリアを取り外して反りや変形、表面状態を観察した結果である。なおキャリアの反りなどの変形がある場合、使用し続けると研磨処理中に基板が保持孔から外れる可能性があるため、好ましくない。
【手続補正書】
【提出日】平成30年3月6日(2018.3.6)
【手続補正１】
【補正対象書類名】特許請求の範囲
【補正対象項目名】全文
【補正方法】変更
【補正の内容】
【特許請求の範囲】
【請求項１】
マシンツーマシン（Ｍ２Ｍ）デバイスからのデータのセマンティクスに関連する情報を有するリソースを識別するために用いられるリソースディレクトリを有するデバイスであって、前記デバイスは、
プロセッサと、
前記プロセッサに結合されたメモリと
を備え、
前記メモリは、実行可能な命令を含み、前記命令は、前記プロセッサによって実行されると、
前記リソースを識別するための識別子を含むメッセージを受信することであって、前記識別子は、リソースのタイプと、キーワードとを含む、ことと、
前記識別子に基づいて、Ｍ２Ｍデバイスからのデータのセマンティクスに関連する情報を有する少なくとも１つのリソースを取得することと、
前記少なくとも１つのリソースをノードに伝送することと
を含む動作を前記プロセッサに行わせる、デバイス。
【請求項２】
前記識別子は、公表またはダイジェスト方法を示すテンプレート変数をさらに含む、請求項１に記載のデバイス。
【請求項３】
前記キーワードは、ブルームフィルタを用いて符号化された複数のキーワードを含み、前記メッセージは、前記符号化された複数のキーワードを含むダイジェストメッセージを含む、請求項１に記載のデバイス。
【請求項４】
前記デバイスは、セマンテ１ィクスノードの階層内のセマンティクスノードであり、前記リソースディレクトリは、前記デバイスよりも低い階層レベルの子セマンティクスノード、または、前記デバイスと同一の階層レベルの兄弟セマンティクスノードである、請求項１に記載のデバイス。
【請求項５】
前記デバイスは、セマンティクスノードの階層内のセマンティクスノードであり、前記メッセージは、ハイブリッドアプローチに基づいて伝送され、前記ハイブリッドアプローチは、前記デバイスと同一の階層レベルの兄弟セマンティクスノード、または、前記デバイスよりも高い階層レベルの親セマンティクスノードに対して第１の識別子を含むメッセージを伝送することを制限することを含む、請求項１に記載のデバイス。
【請求項６】
マシンツーマシン（Ｍ２Ｍ）デバイスからのデータのセマンティクスに関連する情報を有するリソースをデバイスによって識別するための方法であって、前記方法は、
前記リソースを識別するための識別子を含むメッセージを受信することであって、前記識別子は、リソースのタイプと、キーワードとを含む、ことと、
前記識別子に基づいて、Ｍ２Ｍデバイスからのデータのセマンティクスに関連する情報を有する少なくとも１つのリソースを取得することと、
前記少なくとも１つのリソースをノードに伝送することと
を含む、方法。
【請求項７】
前記識別子は、公表またはダイジェスト方法を示すテンプレート変数をさらに含む、請求項６に記載の方法。
【請求項８】
前記キーワードは、ブルームフィルタを用いて符号化された複数のキーワードを含み、前記メッセージは、前記符号化された複数のキーワードを含むダイジェストメッセージを含む、請求項６に記載の方法。
【請求項９】
前記デバイスは、セマンティクスノードの階層内のセマンティクスノードであり、前記メッセージは、ハイブリッドアプローチに基づいて伝送され、前記ハイブリッドアプローチは、前記デバイスと同一の階層レベルの兄弟セマンティクスノード、または、前記デバイスよりも高い階層レベルの親セマンティクスノードに対して第１の識別子を含むメッセージを伝送することを制限することを含む、請求項６に記載の方法。
【請求項１０】
コンピュータプログラムが記憶されたコンピュータ読み取り可能な記憶媒体であって、前記コンピュータプログラムは、データ処理ユニットに読み込み可能であり、前記コンピュータプログラムが前記データ処理ユニットによって実行されると、前記コンピュータプログラムは、請求項６〜９のいずれか一項の記載に従う方法のステップを実行することを前記データ処理ユニットに行わせるように適合されている、コンピュータ読み取り可能な記憶媒体。
【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
複数の入力画像を合成する画像処理装置であって、
第１の入力画像から、第２の入力画像内で探索する対象となる複数の対象画像を生成する対象画像生成手段と、
前記複数の対象画像の特徴量を取得する特徴量取得手段と、
前記複数の対象画像のうち注目する注目対象画像よりも特徴量が大きな他の対象画像の前記第２の入力画像に対するつなぎ位置を使って検出されたつなぎ位置に基づいて前記第１の入力画像と、前記第２の入力画像とを合成する合成手段と
を備えたことを特徴とする、画像処理装置。
【請求項２】
前記注目対象画像に対し、前記注目対象画像と１以上の周辺の対象画像各々との間の特徴量の相対的な関係に基づいて、仮位置を算出する仮位置算出手段と、
前記注目対象画像に対し、前記仮位置算出手段により算出された仮位置に基づいて、前記注目対象画像と、前記第２の入力画像の部分とのマッチングの評価値を計算するマッチング計算手段と
を含み、前記第１の入力画像と前記第２の入力画像とを合成する際に基づくつなぎ位置は、前記評価値に基づいて決定された前記注目対象画像の前記第２の入力画像に対するつなぎ位置である、請求項１に記載の画像処理装置。
【請求項３】
前記複数の対象画像に対する処理を前記特徴量に基づいて順位付けて、前記特徴量の相対的な関係を規定する処理順位付け手段をさらに含み、前記仮位置算出手段は、前記注目対象画像よりも特徴量の大きな周辺の対象画像の決定済みのつなぎ位置と、前記注目対象画像よりも特徴量の小さな周辺の対象画像の初期つなぎ位置とを用いて、前記注目対象画像に対する前記仮位置を算出することを特徴とする、請求項２に記載の画像処理装置。
【請求項４】
前記仮位置算出手段は、前記注目対象画像に対する１以上の周辺の対象画像各々の特徴量の相対的な関係に応じた重み付けおよび前記注目対象画像からの１以上の周辺の対象画像各々の距離に応じた重み付けの両方または一方の重み付けを行って、前記注目対象画像に対する前記仮位置を算出することを特徴とする、請求項２または３に記載の画像処理装置。
【請求項５】
前記マッチング計算手段により算出された類似度に基づく前記評価値を、仮位置を中心に優先されるように補正する評価値補正手段をさらに含む、請求項２〜４のいずれか１項に記載の画像処理装置。
【請求項６】
前記注目対象画像と１以上の周辺の対象画像各々との間の特徴量の相対的な関係に基づいた前記第２の入力画像内の前記マッチングでの探索範囲を設定する探索範囲設定手段をさらに含む、請求項２〜５のいずれか１項に記載の画像処理装置。
【誤訳訂正書】
【提出日】平成30年1月10日(2018.1.10)
【誤訳訂正１】
【訂正対象書類名】明細書
【訂正対象項目名】０００８
【訂正方法】変更
【訂正の内容】
【０００８】
この目的のため、本発明によれば、自動車ヘッドライト用の照明モジュールであって、連続的に配置された複数の光源と、柱面として形成された反射面を有するリフレクタと、前記リフレクタで反射された前記各光源からの光を受けるレンズと、を備え、前記リフレクタは、前記各光源によって放射される光からそれぞれ一つの光スポットを形成するように配置され、前記リフレクタは、前記柱面の母線に直角な平面内に断面を有し、この断面が、前記光源の幅と長さとの比に対して前記光スポットの幅と長さの比を変更するように、且つ、前記光源の前記長さ方向の光パワー分布に対して前記光スポットの前記長さ方向の光パワー分布を変更するように構成されており、前記レンズは、前記レンズの少なくとも２つの焦点のうちの前記光源側にある焦点のところに前記レンズにより形成される前記光源の虚像が鮮明となるように配置される、照明モジュールが提供される。
【誤訳訂正２】
【訂正対象書類名】明細書
【訂正対象項目名】００１１
【訂正方法】変更
【訂正の内容】
【００１１】
鮮明さに関して、レンズは、その焦点のうちの１つに配置される光源の前記レンズにより形成される像がその全長にわたって鮮明な輪郭を有するように配置される。鮮明な輪郭は以下のように規定される。
【誤訳訂正３】
【訂正対象書類名】明細書
【訂正対象項目名】００１５
【訂正方法】変更
【訂正の内容】
【００１５】
特に、リフレクタが、柱面の母線に対して直角な平面内に、リフレクタによって各光源の像の寸法を増大させるように且つレンズにより投影される各光源の像の上半分における光束の平均値が像の下半分における光束の平均値よりも小さいように構成される断面を有するようにすることができる。
【誤訳訂正４】
【訂正対象書類名】明細書
【訂正対象項目名】００４７
【訂正方法】変更
【訂正の内容】
【００４７】
光源からの光に晒されるリフレクタ８の面（反射面）は幾何学用語としての柱面に該当し、この柱面の（無数ある全ての）母線は軸Ｘと平行である。リフレクタ８は、図３に表される軸Ｙ，Ｚと平行な平面内に図３において実線で示された断面を有し、この実線は上記（無数の）母線と上記軸Ｙ，Ｚと平行な平面との交点の集合体である。
【誤訳訂正５】
【訂正対象書類名】特許請求の範囲
【訂正対象項目名】全文
【訂正方法】変更
【訂正の内容】
【特許請求の範囲】
【請求項１】
自動車ヘッドライト用の照明モジュール（２）であって、
連続的に配置された複数の光源（４）と、
柱面として形成された反射面を有するリフレクタ（８）と、
前記リフレクタで反射された前記各光源からの光を受けるレンズ（１０）と、
を備え、
前記リフレクタは、前記各光源によって放射される光からそれぞれ一つの光スポットを形成するように配置され、
前記リフレクタは、前記柱面の母線に直角な平面内に断面を有し、この断面が、前記光源の幅と長さとの比に対して前記光スポットの幅と長さの比を変更するように、且つ、前記光源の前記長さ方向の光パワー分布に対して前記光スポットの前記長さ方向の光パワー分布を変更するように構成されており、
前記レンズは、前記レンズの少なくとも２つの焦点のうちの前記光源側にある焦点のところに前記レンズにより形成される前記光源の虚像が鮮明となるように配置される、ことを特徴とする照明モジュール。
【請求項２】
前記リフレクタ（８）の前記断面は、たった１つの変曲点（Ｉ）を有する湾曲断面である、請求項１に記載の照明モジュール。
【請求項３】
前記リフレクタ（８）により反射されたときに前記複数の光源（４）から形成される複数の像は、前記レンズ（１０）の光軸（２８）上にある中心像（２６ａ）と、前記中心像の両側に設けられた２つの側方像（２６ｂ、２６ｃ）とを含み、前記各側方像（２６ｂ、２６ｃ）の前記中心像（２６ａ）に隣接する垂直縁（３０）が、その上に、前記複数の光源（４）から形成される全ての像の中で鮮明さが最大となる点を有している、請求項１または２に記載の照明モジュール。
【請求項４】
前記リフレクタ（８）により反射されたときに前記複数の光源（４）により形成される複数の像は、前記レンズ（１０）の光軸（２８）の両側に設けられるとともに互いに隣接する２つの像（２６、２６）を含み、前記２つの像（２６、２６）の各々の、前記光軸から遠い側の垂直縁（３４）上に、前記複数の光源（４）から形成される全ての像の中で鮮明さが最大となる点を有している、請求項１または２に記載の照明モジュール。
【請求項５】
前記レンズ（１０）の面（１６）は波形を有する、請求項１から４のいずれか一項に記載の照明モジュール。
【請求項６】
波形を有する前記レンズ（１０）の面は、前記光源（４）からの光のための出力面（１６）である請求項５に記載の照明モジュール。
【請求項７】
前記各光源（４）は、当該光源による光の放射の主方向に対して直角を成す平面内に正方形形状を有する、請求項１から６のいずれか一項に記載の照明モジュール。
【請求項８】
前記光源（４）は、前記複数の光源の全てを通る直線が存在するように配置される請求項１から７のいずれか一項に記載の照明モジュール。
【請求項９】
前記直線は前記各光源にある複数の縁のうちの一つを通る、請求項８に記載の照明モジュール。
【請求項１０】
前記光源（４）は、前記各光源の輪郭の頂点のうちの１つを通る曲線が存在するように配置される請求項１から７のいずれか一項に記載の照明モジュール。
【請求項１１】
前記複数の光源（４）は、前記各光源の中心を通る曲線が存在するように配置される請求項１から７のいずれか一項に記載の照明モジュール。
【請求項１２】
前記曲線が変曲点を有さない請求項１１に記載の照明モジュール。
【請求項１３】
前記光源（４）の輪郭が１つの同じ平面内に含まれる請求項１から１２のいずれか一項に記載の照明モジュール。
【請求項１４】
前記各光源（４）が２つの対向する縁を有し、前記光源の全ての対向する縁が互いに平行である請求項１から１３のいずれか一項に記載の照明モジュール。
【請求項１５】
前記対向する縁が前記レンズの光軸と平行である、請求項１４に記載の照明モジュール。
【請求項１６】
前記複数の光源（４）が個別に制御することができる、請求項１から１５のいずれか一項に記載の照明モジュール。
【請求項１７】
前記光源（４）から前記レンズ（１０）への光の直接的な伝送に対する障害を形成するスクリーン（６）を備える、請求項１から１６のいずれか一項に記載の照明モジュール。
【請求項１８】
請求項１から１７のいずれか一項に記載の前記照明モジュール（２）を少なくとも１つ備える、自動車ヘッドライト。
【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
遊技盤の前面に形成された遊技領域と、
遊技領域と非遊技領域とを区画するレール部材と、
遊技領域へ向けて所定の発射強度で遊技球を放出可能な発射装置と、
遊技領域内において遊技盤から遊技者側に突出して設けられた、遊技球が流入可能な流路を備えた部材と
を有しており、
前記流路の入口は、前記レール部材の内壁に沿った、前記所定の発射強度が少なくとも最大の発射強度である場合における遊技球の流下経路上に配置されており、
前記流路を構成する壁面のうち、遊技盤の中心側の壁面および対向する壁面には一又は複数の突起部がそれぞれ一体成型されており、前記流路を流下する遊技球が前記一又は複数の突起部に衝突することで流下速度が減速されるよう構成され、
前記流路に一体成型された複数の突起部のうち、遊技球が最初に当接し得る突起部は前記レール部材側に配置された突起部であり、前記レール部材と前記流路を備えた部材との略当接部には微小な隙間が設けられている
ことを特徴とするぱちんこ遊技機。
【手続補正２】
【補正対象書類名】明細書
【補正対象項目名】０００６
【補正方法】変更
【補正の内容】
【０００６】
本態様に係るぱちんこ遊技機は、
遊技盤の前面に形成された遊技領域と、
遊技領域と非遊技領域とを区画するレール部材と、
遊技領域へ向けて所定の発射強度で遊技球を放出可能な発射装置と、
遊技領域内において遊技盤から遊技者側に突出して設けられた、遊技球が流入可能な流路を備えた部材と
を有しており、
前記流路の入口は、前記レール部材の内壁に沿った、前記所定の発射強度が少なくとも最大の発射強度である場合における遊技球の流下経路上に配置されており、
前記流路を構成する壁面のうち、遊技盤の中心側の壁面および対向する壁面には一又は複数の突起部がそれぞれ一体成型されており、前記流路を流下する遊技球が前記一又は複数の突起部に衝突することで流下速度が減速されるよう構成され、
前記流路に一体成型された複数の突起部のうち、遊技球が最初に当接し得る突起部は前記レール部材側に配置された突起部であり、前記レール部材と前記流路を備えた部材との略当接部には微小な隙間が設けられている
ことを特徴とするぱちんこ遊技機である。
【手続補正書】
【提出日】平成30年10月15日(2018.10.15)
【手続補正１】
【補正対象書類名】特許請求の範囲
【補正対象項目名】全文
【補正方法】変更
【補正の内容】
【特許請求の範囲】
【請求項１】
生体適合性材料からなり、生体組織に活着する生体組織活着面であって、
埋入用ネジではなく、定着させる細胞の広がりと乗り越えを防止する大凹凸と、
前記大凹凸の内面に配置されて前記細胞に対して力学的な刺激を与える小凹凸と、
前記小凹凸の内面に配置されて指頭形状の微絨毛体を多数有する粗面と、
を備える生体組織活着面。
【請求項２】
前記微絨毛体は、先端径がナノメートルサイズである請求項１に記載の生体組織活着面。
【請求項３】
三次元表面粗さＳａがナノメートルサイズである請求項１または２に記載の生体組織活着面。
【請求項４】
前記小凹凸は、幅が１μｍ以上、５０μｍ以下、深さが１μｍ以上、２０μｍ以下の小溝である請求項１から３のうちいずれか一項に記載の生体組織活着面。
【請求項５】
前記小溝は、平行または格子状に配置される請求項４に記載の生体組織活着面。
【請求項６】
前記大凹凸は、幅が１０μｍ以上、５００μｍ以下、深さが５μｍ以上、１００μｍ以下の大溝である請求項１から５のうちいずれか一項に記載の生体組織活着面。
【請求項７】
前記大溝は、平行または格子状に配置される請求項６に記載の生体組織活着面。
【請求項８】
前記生体適合性材料は、生体適合性セラミックス材料、生体適合性金属材料または生体適合性樹脂材料である請求項１から７のうちいずれか一項に記載の生体組織活着面。
【請求項９】
前記生体適合性セラミックス材料は、ジルコニアを含む請求項８に記載の生体組織活着面。
【請求項１０】
前記生体適合性金属材料は、チタン、チタン合金またはコバルトクロム合金を含む請求項８に記載の生体組織活着面。
【請求項１１】
前記生体適合性樹脂材料は、ポリエーテルエーテルケトン樹脂を含む請求項８に記載の生体組織活着面。
【請求項１２】
生体組織に活着するインプラントであって、
生体組織に活着する表面に、請求項１から１１のうちいずれか一項に記載の生体組織活着面を有するインプラント。
【請求項１３】
外周面に埋入用ネジを有する歯科用インプラントのフィクスチャーであり、
前記生体組織活着面は、ネジ面、カラー面、先端面のいずれか一つ以上に設けられる請求項１２に記載のインプラント。
【請求項１４】
外周面に埋入用ネジを有しない歯科用インプラントのフィクスチャーであり、
前記生体組織活着面は、外周面、先端面のいずれか一つ以上に設けられる請求項１２に記載のインプラント。
【請求項１５】
歯科用インプラントのアバットメントであり、
前記生体組織活着面は、歯肉マージン面に設けられる請求項１２に記載のインプラント。
【請求項１６】
人工股関節のステムであり、
前記生体組織活着面は、大腿骨に埋め込まれる部位の表面に設けられる請求項１２に記載のインプラント。
【請求項１７】
生体組織に活着する生体組織活着面の形成方法であって、
生体適合性材料の表面に大凹凸を形成する第一工程と、
前記大凹凸の内面に小凹凸を形成すると同時に、前記小凹凸の内面に指頭形状の微絨毛体を多数有する粗面を形成する第二工程と、
を含み、
前記大凹凸は、成形加工、機械加工またはレーザ熱加工により形成され、
前記小凹凸および前記粗面は、レーザ非熱加工により形成される
生体組織活着面の形成方法。
【請求項１８】
前記レーザ非熱加工は、極短パルスレーザを用いる請求項１７に記載の生体組織活着面の形成方法。
【請求項１９】
前記極短パルスレーザは、ピコ秒レーザまたはフェムト秒レーザである請求項１８に記載の生体組織活着面の形成方法。
【請求項２０】
生体組織に活着するインプラントの製造方法であって、
生体組織に活着する表面を形成する工程において、請求項１７または１８に記載の生体組織活着面の形成方法を含むインプラントの製造方法。
【手続補正書】
【提出日】平成30年10月12日(2018.10.12)
【手続補正１】
【補正対象書類名】特許請求の範囲
【補正対象項目名】全文
【補正方法】変更
【補正の内容】
【特許請求の範囲】
【請求項１】
溶液からリン酸塩を除去することのできる組成物を製造する方法であって、
（ａ）酸化カルシウム、二酸化ケイ素、アルカリ及び溶媒を含むスラリーを形成することであって、酸化カルシウム：二酸化ケイ素：アルカリのモル比が２．４３〜２．９７：１．１２〜１．３８：０．９〜１．１の範囲であることと、
（ｂ）前記スラリーに対し、約１３．５ｐｓｉ〜１６．５ｐｓｉの圧力下で約１時間〜約６時間水熱プロセスを行うことにより、溶液からリン酸塩を除去することのできる組成物を製造することと、
を含む、方法。
【請求項２】
前記アルカリが、水酸化アンモニウム、水酸化カルシウム、水酸化マグネシウム、水酸化カリウム及び水酸化ナトリウムからなる群から選ばれるものである、請求項１に記載の方法。
【請求項３】
前記アルカリが水酸化ナトリウムである、請求項１又は２に記載の方法。
【請求項４】
前記溶媒が、ｔ−ブタノール、エタノール、イソプロパノール、メタノール、ニトロメタン、水及びこれらの混合物からなる群から選ばれるものである、請求項１〜３のいずれか一項に記載の方法。
【請求項５】
前記溶媒が水を含む、請求項１〜４のいずれか一項に記載の方法。
【請求項６】
（ｃ）前記組成物を５４０℃〜６６０℃で少なくとも２７分間加熱すること、を更に含む、請求項１〜５のいずれか一項に記載の方法。
【請求項７】
（ｃ）で要求される加熱工程を６００℃で少なくとも３０分間行う、請求項６に記載の方法。
【請求項８】
請求項１〜７のいずれか一項に記載の方法により製造される組成物。
【請求項９】
溶液からリン酸塩を除去する方法であって、請求項８に記載の組成物を、リン酸塩を含む溶液に接触させるとともに、反応させることを含む、方法。
【請求項１０】
前記溶液を反応チャンバー内に収容し、前記組成物を遠心力下で該溶液と接触させるとともに、反応させる、請求項９に記載の方法。
【請求項１１】
前記溶液が最終ＤＡＦ又はプロセス水流である、請求項９に記載の方法。
【請求項１２】
部分噴射器（ｐｏｒｔｉｏｎ  ｉｎｊｅｃｔｏｒ）によって前記組成物を前記溶液と接触させるとともに、反応させる、請求項９に記載の方法。
【請求項１３】
スラリーで散布することにより前記組成物を前記溶液と接触させさせるとともに、反応させる、請求項９に記載の方法。
【請求項１４】
前記組成物が埋設バリアに成形されている、請求項９に記載の方法。
【請求項１５】
前記組成物が凝集剤の形態を有しており、更にポリマーを含むものである、請求項９に記載の方法。
【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
下記式（Ｖ）を有する化合物または該化合物の治療上許容される塩
【化１】
2018138577.tif 000001
［式中、
Ａ１はＮまたはＣ（Ａ２）であり；
Ａ２はＨ、Ｆ、Ｂｒ、ＩまたはＣｌであり；
Ｂ１はＲ１、ＯＲ１、ＮＨＲ１、ＮＨＣ（Ｏ）Ｒ１、Ｆ、Ｂｒ、ＩまたはＣｌであり；
Ｄ１はＨ、Ｆ、Ｂｒ、ＩまたはＣｌであり；
Ｅ１はＨであり；
Ｙ１はＨ、ＣＮ、ＮＯ２、Ｆ、Ｃｌ、Ｂｒ、Ｉ、ＣＦ３、Ｒ１７、ＯＲ１７、ＳＲ１７、ＳＯ２Ｒ１７、またはＣ（Ｏ）ＮＨ２であり；
Ｒ１はＲ４またはＲ５であり；
Ｒ４はＣ３−Ｃ１０シクロアルキルまたは３〜８員のヘテロシクロアルキルであり；
Ｒ５は、それぞれ置換されていないか、Ｒ７、ＯＲ７、ＮＨＲ７、Ｎ（Ｒ７）２、ＣＮ、ＯＨ、Ｆ、Ｃｌ、ＢｒおよびＩからなる群から独立に選択される１個もしくは２個もしくは３個の置換基で置換されているＣ１−Ｃ１０アルキルまたはＣ２−Ｃ１０アルキニルであり；
Ｒ７はＲ８、Ｒ９、Ｒ１０またはＲ１１であり；
Ｒ８はフェニルであり；
Ｒ９は５〜６員のヘテロアリールであり；
Ｒ１０はそれぞれ縮合していないかＲ１０Ａと縮合しているＣ３−Ｃ１０シクロアルキル、Ｃ４−Ｃ１０シクロアルケニルまたは３〜８員のヘテロシクロアルキルであり；
Ｒ１０Ａは５〜６員のヘテロアレーンであり；
Ｒ１１は、置換されていないか、Ｒ１２、ＯＲ１２およびＣＦ３からなる群から独立に選択される１個もしくは２個もしくは３個の置換基で置換されているＣ１−Ｃ１０アルキルであり；
Ｒ１２はＲ１４またはＲ１６であり；
Ｒ１４は５〜６員のヘテロアリールであり；
Ｒ１６はＣ１−Ｃ１０アルキルであり；
Ｒ１７は、それぞれ置換されていないかＲ２２、Ｆ、Ｃｌ、ＢｒおよびＩからなる群から独立に選択される１個もしくは２個もしくは３個の置換基で置換されているＣ１−Ｃ１０アルキルまたはＣ２−Ｃ１０アルキニルであり；
Ｒ２２は３〜８員のヘテロシクロアルキルであり；
ここで、Ｒ４、Ｒ８、Ｒ１０およびＲ２２によって表される環状部分が、独立に置換されていないか、またはＲ５７Ａ、Ｒ５７、ＯＲ５７、ＳＯ２Ｒ５７、Ｃ（Ｏ）Ｒ５７、ＣＯ（Ｏ）Ｒ５７，Ｃ（Ｏ）Ｎ（Ｒ５７）２、ＮＨ２、ＮＨＲ５７、Ｎ（Ｒ５７）２、ＮＨＣ（Ｏ）Ｒ５７、ＮＨＳ（Ｏ）２Ｒ５７、ＯＨ、ＣＮ、（Ｏ）、Ｆ、Ｃｌ、ＢｒおよびＩからなる群から独立に選択される１個もしくは２個もしくは３個もしくは４個もしくは５個の置換基で置換されており；
Ｒ５７ＡはＣ２−Ｃ９スピロアルキルまたは２〜９員のスピロヘテロアルキルであり；
Ｒ５７はＲ５８、Ｒ６０またはＲ６１であり；
Ｒ５８はフェニルであり；
Ｒ６０はＣ３−Ｃ１０シクロアルキルまたは３〜８員のヘテロシクロアルキルであり；
Ｒ６１は置換されていないか、Ｒ６２、ＯＲ６２、Ｎ（Ｒ６２）２、Ｃ（Ｏ）ＯＨ、ＣＮ、Ｆ、Ｃｌ、ＢｒおよびＩからなる群から独立に選択される１個もしくは２個もしくは３個の置換基で置換されたＣ１−Ｃ１０アルキルであり；
Ｒ６２はＲ６５またはＲ６６であり；
Ｒ６５はＣ３−Ｃ１０シクロアルキルまたは３〜８員のヘテロシクロアルキルであり；
Ｒ６６は置換されていないかＯＲ６７で置換されたＣ１−Ｃ１０アルキルであり；
Ｒ６７はＣ１−Ｃ１０アルキルであり；
ここで、Ｒ５７Ａ、Ｒ５８およびＲ６０によって表される環状部分は、置換されていないか、Ｒ６８、Ｆ、Ｃｌ、ＢｒおよびＩからなる群から独立に選択される１個もしくは２個もしくは３個もしくは４個の置換基で置換されており；
Ｒ６８はＲ７１またはＲ７２であり；
Ｒ７１は３〜８員のヘテロシクロアルキルであり；および
Ｒ７２は、置換されていないか１個もしくは２個のＦで置換されたＣ１−Ｃ１０アルキルであり、
ここで、上記５〜６員のヘテロアレーン、５〜６員のヘテロアリール、および３〜８員のヘテロシクロアルキルのそれぞれは、Ｏ、ＮおよびＳの群から選択される１個以上のヘテロ原子を有し、および
上記スピロヘテロアルキルは、Ｏ、Ｃ（Ｏ）、ＣＮＯＨ、ＣＮＯＣＨ３、Ｓ、Ｓ（Ｏ）、ＳＯ２またはＮＨからなる群から独立に選択される置換基で置き換わっている１個または２個のＣＨ２部分および置き換わっていないかまたはＮで置き換わっている１個または２個のＣＨ部分を有する。］。
【請求項２】
薬学上許容される賦形剤と、請求項１に記載の化合物または薬学上許容される塩を含む医薬組成物。
【請求項３】
賦形剤と、治療上有効量の請求項１に記載の化合物または治療上許容される塩とを含む組成物であって、膀胱癌、脳腫瘍、乳癌、骨髄癌、子宮頸癌、慢性リンパ球性白血病、結腸直腸癌、食道癌、肝細胞癌、リンパ芽球性白血病、濾胞性リンパ腫、Ｔ細胞もしくはＢ細胞起源のリンパ性悪性疾患、メラノーマ、骨髄性白血病、骨髄腫、口腔癌、卵巣癌、非小細胞肺癌、前立腺癌、小細胞肺癌または脾臓癌を治療するための、前記組成物。
【請求項４】
治療上有効量の請求項１に記載の化合物または治療上許容される塩を含む組成物であって、患者における膀胱癌、脳腫瘍、乳癌、骨髄癌、子宮頸癌、慢性リンパ球性白血病、結腸直腸癌、食道癌、肝細胞癌、リンパ芽球性白血病、濾胞性リンパ腫、Ｔ細胞もしくはＢ細胞起源のリンパ性悪性疾患、メラノーマ、骨髄性白血病、骨髄腫、口腔癌、卵巣癌、非小細胞肺癌、前立腺癌、小細胞肺癌または脾臓癌の治療に使用するための、前記組成物。
【請求項５】
治療上有効量の請求項１に記載の化合物または治療上許容される塩と、治療上有効量の１種類の別の治療薬もしくは複数の別の治療薬とを含む組成物であって、患者における膀胱癌、脳腫瘍、乳癌、骨髄癌、子宮頸癌、慢性リンパ球性白血病、結腸直腸癌、食道癌、肝細胞癌、リンパ芽球性白血病、濾胞性リンパ腫、Ｔ細胞もしくはＢ細胞起源のリンパ性悪性疾患、メラノーマ、骨髄性白血病、骨髄腫、口腔癌、卵巣癌、非小細胞肺癌、前立腺癌、小細胞肺癌または脾臓癌の治療に使用するための、前記組成物。
【請求項６】
２−（９Ｈ−カルバゾール−４−イルオキシ）−４−（４−｛［２−（４−クロロフェニル）−４，４−ジメチルシクロヘキサ−１−エン−１−イル］メチル｝ピペラジン−１−イル）−Ｎ−（｛４−［（１−メチルピペリジン−４−イル）アミノ］−３−ニトロフェニル｝スルホニル）ベンズアミド；および
２−（９Ｈ−カルバゾール−４−イルオキシ）−４−（４−｛［２−（４−クロロフェニル）−４，４−ジメチルシクロヘキサ−１−エン−１−イル］メチル｝ピペラジン−１−イル）−Ｎ−（｛３−ニトロ−４−［（３−ピロリジン−１−イルプロピル）アミノ］フェニル｝スルホニル）ベンズアミド
からなる群から選択される化合物または該化合物の薬学上許容される塩。
【手続補正書】
【提出日】平成30年8月31日(2018.8.31)
【手続補正１】
【補正対象書類名】特許請求の範囲
【補正対象項目名】全文
【補正方法】変更
【補正の内容】
【特許請求の範囲】
【請求項１】
ドライアイおよび／または眼痛を処置するための医薬の製造における配列番号１に示される塩基配列を標的化するｓｉＲＮＡの使用であって、前記ｓｉＲＮＡは、１日当たり約０．１〜約１０ｍｇの投与量で投与される、使用。
【請求項２】
前記ｓｉＲＮＡが、１日当たり約０．５〜約１．５ｍｇの投与量で投与される、請求項１に記載の使用。
【請求項３】
前記ｓｉＲＮＡが、１日当たり約０．３〜約０．９ｍｇの投与量で投与される、請求項１に記載の使用。
【請求項４】
前記ｓｉＲＮＡが、１日当たり眼１つ当たり約０．６ｍｇまたは約０．９ｍｇの投与量で投与される、請求項１に記載の使用。
【請求項５】
前記ｓｉＲＮＡが、５〜１５日間投与される、請求項１から４のいずれか一項に記載の使用。
【請求項６】
前記ｓｉＲＮＡが、１０日間投与される、請求項１から５のいずれか一項に記載の使用。
【請求項７】
前記ｓｉＲＮＡが、４週間超の期間投与される、請求項１から６のいずれか一項に記載の使用。
【請求項８】
前記ｓｉＲＮＡが、配列番号２として規定される化合物である、請求項１から７のいずれか一項に記載の使用。
【請求項９】
前記ｓｉＲＮＡが、眼に局所投与される、請求項１から８のいずれか一項に記載の使用。
【請求項１０】
１日当たり約０．１〜約１０ｍｇの投与量で投与される、ドライアイおよび／または眼痛の処置で使用するための、配列番号１に示される塩基配列を標的化するｓｉＲＮＡ。
【請求項１１】
配列番号１に示される塩基配列を標的化するｓｉＲＮＡと、所定体積の液滴中に約０．３〜約０．９ｍｇの投与量のｓｉＲＮＡを分注するための開口部を伴う分注器と、前記配列番号１に示される塩基配列を標的化するｓｉＲＮＡを、毎日投与するために約０．３〜約０．９ｍｇの投与量で投与するための印刷された指示書とを供給することを含む、ドライアイおよび／または眼痛を処置するための医療用キット。
【手続補正書】
【提出日】平成30年8月27日(2018.8.27)
【手続補正１】
【補正対象書類名】特許請求の範囲
【補正対象項目名】全文
【補正方法】変更
【補正の内容】
【特許請求の範囲】
【請求項１】
第１所定表示領域及び第２所定表示領域を有する所定表示手段と、
取得タイミングに応じて数値が変化し得る第１所定数値情報を、予め定められた取得条件が成立した場合に取得する第１所定取得手段と、
前記第１所定表示領域の表示態様を、前記第１所定取得手段により取得された数値情報に対応した表示態様に決定する第１所定表示態様決定手段と、
取得タイミングに応じて数値が変化し得る第２所定数値情報を、予め定められた取得条件が成立した場合に取得する第２所定取得手段と、
前記第２所定表示領域の表示態様を、前記第２所定取得手段により取得された数値情報に対応した表示態様に決定する第２所定表示態様決定手段と、
を備え、
前記第１所定表示態様決定手段は、前記第１所定表示領域の表示態様を決定する場合、予め設定された表示態様情報群を参照することで、前記第１所定表示領域の表示態様を、前記第１所定取得手段により取得された数値情報に対応した表示態様に決定し、
前記第２所定表示態様決定手段は、前記第２所定表示領域の表示態様を決定する場合、前記表示態様情報群を参照することで、前記第２所定表示領域の表示態様を、前記第２所定取得手段により取得された数値情報に対応した表示態様に決定し、
前記第１所定表示領域において特定表示態様が表示され得る構成であって、前記第２所定表示領域において前記特定表示態様が表示され得る構成であり、
前記第１所定表示領域に前記特定表示態様が表示された場合と前記第２所定表示領域に前記特定表示態様が表示された場合とで異なる遊技結果を生じさせることが可能であることを特徴とする遊技機。
【請求項２】
遊技媒体を利用して遊技が行われることを特徴とする請求項１に記載の遊技機。
【手続補正２】
【補正対象書類名】明細書
【補正対象項目名】０００８
【補正方法】変更
【補正の内容】
【０００８】
上記課題を解決すべく請求項１記載の発明は、第１所定表示領域及び第２所定表示領域を有する所定表示手段と、
取得タイミングに応じて数値が変化し得る第１所定数値情報を、予め定められた取得条件が成立した場合に取得する第１所定取得手段と、
前記第１所定表示領域の表示態様を、前記第１所定取得手段により取得された数値情報に対応した表示態様に決定する第１所定表示態様決定手段と、
取得タイミングに応じて数値が変化し得る第２所定数値情報を、予め定められた取得条件が成立した場合に取得する第２所定取得手段と、
前記第２所定表示領域の表示態様を、前記第２所定取得手段により取得された数値情報に対応した表示態様に決定する第２所定表示態様決定手段と、
を備え、
前記第１所定表示態様決定手段は、前記第１所定表示領域の表示態様を決定する場合、予め設定された表示態様情報群を参照することで、前記第１所定表示領域の表示態様を、前記第１所定取得手段により取得された数値情報に対応した表示態様に決定し、
前記第２所定表示態様決定手段は、前記第２所定表示領域の表示態様を決定する場合、前記表示態様情報群を参照することで、前記第２所定表示領域の表示態様を、前記第２所定取得手段により取得された数値情報に対応した表示態様に決定し、
前記第１所定表示領域において特定表示態様が表示され得る構成であって、前記第２所定表示領域において前記特定表示態様が表示され得る構成であり、
前記第１所定表示領域に前記特定表示態様が表示された場合と前記第２所定表示領域に前記特定表示態様が表示された場合とで異なる遊技結果を生じさせることが可能であることを特徴とする。
【手続補正書】
【提出日】平成30年11月14日(2018.11.14)
【手続補正１】
【補正対象書類名】特許請求の範囲
【補正対象項目名】全文
【補正方法】変更
【補正の内容】
【特許請求の範囲】
【請求項１】
マウスまたはヒト対象において標的遺伝子の発現を上方調節する方法における使用のための核酸であって、
該核酸が、一本鎖で１５〜４０ヌクレオチドの長さを有し、該標的遺伝子の発現を抑制するＰＲＣ２結合長鎖非コードＲＮＡ（ｌｎｃＲＮＡ）のＰＲＣ２結合領域の少なくとも８塩基の連続する配列に対して相補的である塩基配列を含み、ここで、該核酸の少なくとも１つのヌクレオチドは修飾ヌクレオチドであり、ＰＲＣ２結合ｌｎｃＲＮＡは標的遺伝子の染色体座位から転写され、ＰＲＣ２結合領域は、Ｅｚｈ２に対する抗体を用いるＲＮＡ免疫沈降法の間に内在性のヌクレアーゼから保護されたヌクレオチド配列を有する、前記核酸。
【請求項２】
ＰＲＣ２結合ｌｎｃＲＮＡが、標的遺伝子を含有するゲノム領域における該標的遺伝子と同じ鎖から転写される、請求項１に記載の核酸。
【請求項３】
ｌｎｃＲＮＡが、標的遺伝子とは反対の鎖から転写される、請求項１に記載の核酸。
【請求項４】
標的遺伝子がタンパク質コード遺伝子である、請求項１〜３のいずれか一項に記載の核酸。
【請求項５】
修飾ヌクレオチドが、２’−修飾ヌクレオチドである、請求項１〜４のいずれか一項に記載の核酸。
【請求項６】
２’−修飾ヌクレオチドが、２’−デオキシ、２’−デオキシ−２’−フルオロ、２’−Ｏ−メチル、２’−Ｏ−メトキシエチル（２’−Ｏ−ＭＯＥ）、２’−Ｏ−アミノプロピル（２’−Ｏ−ＡＰ）、２’−Ｏ−ジメチルアミノエチル（２’−Ｏ−ＤＭＡＯＥ）、２’−Ｏ−ジメチルアミノプロピル（２’−Ｏ−ＤＭＡＰ）、２’−Ｏ−ジメチルアミノエチルオキシエチル（２’−Ｏ−ＤＭＡＥＯＥ）または２’−Ｏ−−Ｎ−メチルアセトアミド（２’−Ｏ−−ＮＭＡ）または２’−Ｏ原子および４’−Ｃ原子を結合するメチレン架橋を含む、請求項５に記載の核酸。
【請求項７】
核酸が、少なくとも１つの修飾ヌクレオシド間結合を含む、請求項１〜６のいずれか一項に記載の核酸。
【請求項８】
少なくとも１つの修飾ヌクレオシド間結合が、アルキルホスホネート、ホスホロチオエート、ホスホロジチオエート、アルキルホスホノチオエート、ホスホルアミデート、カルバメート、炭酸塩、リン酸トリエステル、アセトアミド酸、カルボキシメチルエステルまたはその組み合わせのうちの少なくとも１つから選択される、請求項７に記載の核酸。
【請求項９】
核酸が、
（ｉ）標的遺伝子のエクソン、イントロン、イントロン／エクソン接合部、５’ＵＴＲ、３’ＵＴＲ、翻訳開始領域、または翻訳終止領域の範囲内を起源とするまたはそれと重複するｌｎｃＲＮＡの領域、または
（ｉｉ）ステムループ構造を形成するｌｎｃＲＮＡの領域におけるＰＲＣ２結合ｌｎｃＲＮＡ
に対して相補的である、請求項１〜８のいずれか一項に記載の核酸。
【請求項１０】
核酸が、標的ＲＮＡの実質的な切断または分解を誘導しない；標的ＲＮＡの実質的に完全な切断または分解を引き起こさない；ＲＮＡ分解酵素Ｈの経路を活性化しない；ＲＩＳＣを活性化しない；いかなるアルゴノートファミリータンパク質をもリクルートしない；ダイサーによって切断されない；選択的スプライシングに介在しない；免疫刺激性ではない；ヌクレアーゼ耐性である；非修飾核酸に比べて改善された細胞取り込みを有する；細胞または哺乳類にとって毒性ではない；改善されたエンドソームの出口を有する；ＰＲＣ２とのｌｎｃＲＮＡの相互作用に干渉する；および／またはＨ３−リシン２７のメチル化を低下させる、請求項１〜９のいずれか一項に記載の核酸。
【請求項１１】
核酸が、ＰＲＣ２の、Ｅｚｈ２、Ｓｕｚ１２、ＥｅｄまたはＲｂＡｐ４６／４８サブユニットまたはＪａｒｉｄ２のようなアクセサリ分子とのｌｎｃＲＮＡの相互作用に干渉する、請求項１０に記載の核酸。
【手続補正書】
【提出日】平成30年11月1日(2018.11.1)
【手続補正１】
【補正対象書類名】特許請求の範囲
【補正対象項目名】全文
【補正方法】変更
【補正の内容】
【特許請求の範囲】
【請求項１】
以下からなる群より選択される、骨髄間葉系幹細胞遊走刺激活性を有するペプチド：
（１）配列番号：１、３、５のいずれかに記載のアミノ酸配列における１番目から１７０番目のアミノ酸配列からなるペプチド；
（２）配列番号：１、３、５のいずれかに記載のアミノ酸配列における１番目から１８５番目のアミノ酸配列からなるペプチド；
（３）配列番号：１、３、５のいずれかに記載のアミノ酸配列における１番目から１９５番目のアミノ酸配列からなるペプチド；
（４）配列番号：１、３、５のいずれかに記載のアミノ酸配列における２番目から１７０番目のアミノ酸配列からなるペプチド；
（５）配列番号：１、３、５のいずれかに記載のアミノ酸配列における２番目から１８５番目のアミノ酸配列からなるペプチド；
（６）配列番号：１、３、５のいずれかに記載のアミノ酸配列における２番目から１９５番目のアミノ酸配列からなるペプチド；
（７）配列番号：１、３、５のいずれかに記載のアミノ酸配列における８５番目から１６９番目のアミノ酸配列からなるペプチド；
（８）配列番号：１、３、５のいずれかに記載のアミノ酸配列における８９番目から１８５番目のアミノ酸配列からなるペプチド；
（９）配列番号：１、３、５のいずれかに記載のアミノ酸配列における８９番目から１９５番目のアミノ酸配列からなるペプチド；および
（１０）配列番号：１、３、５のいずれかに記載のアミノ酸配列における９３番目から２１５番目のアミノ酸配列からなるペプチド。
【請求項２】
ペプチドが、合成されたペプチドである、請求項１に記載のペプチド。
【請求項３】
ペプチドが、細胞を用いて製造されたペプチドである、請求項１に記載のペプチド。
【請求項４】
ペプチドが、タグが付加されているペプチドである、請求項１に記載のペプチド。
【請求項５】
ペプチドが、タグ由来のペプチド断片が付加されているペプチドである、請求項１に記載のペプチド。
【請求項６】
請求項１〜５のいずれかに記載のペプチドをコードするDNA。
【請求項７】
請求項６に記載のDNAを有するベクター。
【請求項８】
請求項６に記載のDNAまたは請求項７に記載のベクターを有する形質転換細胞。